(57)【要約】      （修正有）【課題】接着部分に要する濾紙原反を減少させることができ、さらに接着剤を使用しないため、接着剤の節減と乾燥時間の省略により、生産性の向上に寄与する電気掃除機用集塵袋を提供する。【解決手段】通気性を有する２枚の濾紙からなる電機掃除機用集塵袋であって、該２枚のうちの少なくとも１枚の少なくとも一部に熱可塑性繊維を含む濾紙が用いられており、該２枚の濾紙が筒状に接着または加熱溶着されており、さらに筒状物の両端が該熱可塑性繊維により加熱溶着されて両端部が閉じられていることを特徴とする電気掃除機用集塵袋。【選択図】図２
0003161087.tif 000002
【実用新案登録請求の範囲】
【請求項１】
通気性を有する２枚の濾紙からなる電機掃除機用集塵袋であって、該２枚のうちの少なくとも１枚の少なくとも一部に熱可塑性繊維を含む濾紙が用いられており、該２枚の濾紙が筒状に接着または加熱溶着されており、さらに筒状物の両端が該熱可塑性繊維により加熱溶着されて両端部が閉じられていることを特徴とする電気掃除機用集塵袋。
【請求項２】
内層と外層の２枚の濾紙からなる電機掃除機用集塵袋であって、内層側に熱可塑性繊維が含まれている請求項１に記載の電機掃除機用集塵袋。
【請求項３】
内層用濾紙が、ポリプロピレン製メルトブローン不織布の両側にポリプロピレン製スパンボンド不織布を積層した３層構造不織布からなる請求項１または２に記載の電機掃除機用集塵袋。
【請求項４】
外層用濾紙が、天然パルプからなる濾紙である請求項１〜３のいずれかに記載の電機掃除機用集塵袋。
【請求項５】
外層用濾紙が、天然パルプからなる目付３０〜７０ｇ／ｃｍ２の濾紙であり、内層用濾紙が、目付２〜１０ｇ／ｃｍ２のポリプロピレン製メルトブローン不織布の両側に目付３〜１５ｇ／ｃｍ２のポリプロピレン製スパンボンド不織布を積層した３層構造不織布である請求項１〜４のいずれかに記載の電機掃除機用集塵袋。
【請求項６】
筒状物の両端が折り畳まれることなく、単に、熱融着により貼り合わせにより端部閉鎖された構造である請求項１に記載の電機掃除機用集塵袋。
【考案の詳細な説明】
【技術分野】
【０００１】
本考案は、汎用の電気掃除機用の集塵袋に関するものであり、集塵袋の製造に要する濾紙原反量の低減に寄与するとともに生産性の向上にも寄与するものである。
【背景技術】
【０００２】
従来、電気掃除機用の集塵袋に用いる濾紙として、セルロース系の紙、あるいは熱可塑性の繊維からなる不織布が用いられてきた。それらの改良品として、特にこれら２種類の濾紙を用いて吸引圧力を分散させ集塵効率を向上させる仕様のものも提案されている（特許文献１）。この文献に記載された集塵袋の構成は、中央に掃除機取り付け用の口紙の開口部があり、袋本体は内層と外層の２重の濾紙からなっている。
【０００３】
集塵袋本体の製造方法は、通常、一定幅の濾紙原反をまず筒状となるように両端部を重ね合わせて接着し、そして口紙取り付け用の孔を空け、次に口紙取り付け口が中央となるように筒状物を一定間隔にカットし、さらに筒状物の両端を接着して両端部を閉じ、最後に該口紙取り付け部に口紙を接着する方式で製造されている。
この製造工程において、カット後の両端を接着閉鎖する具体的方法として、端部を２段または３段に折りたたみ、重なり部に接着剤を塗工して乾燥させる多段折りたたみ接着方式が一般に取られている。しかしながら、この多段折りたたみ接着方式では、接着折りたたみ部分にも原反を必要とし、この部分は集塵には全く寄与しないこととなる。
【特許文献１】実用新案登録第３１２７３３９号公報
【考案の開示】
【考案が解決しようとする課題】
【０００４】
本考案は、上記の電気掃除機用の集塵袋の構成において、筒状物をカットした後の両端部を接着封鎖する際に、多段折りたたみに要する濾紙量を低減し、製造コストを下げるとともに、接着を融着に変更することにより生産効率の向上を図るものである。
【課題を解決するための手段】
【０００５】
すなわち本考案は、通気性を有する２枚の濾紙からなる電機掃除機用集塵袋であって、該２枚のうちの少なくとも１枚の少なくとも一部に熱可塑性繊維を含む濾紙が用いられており、該２枚の濾紙が筒状に接着または加熱溶着されており、さらに筒状物の両端が該熱可塑性繊維により加熱溶着されて両端部が閉じられていることを特徴とする電気掃除機用集塵袋である。
【考案の効果】
【０００６】
本考案は、従来の多段折りたたみによる接着剤接着方式に替えて、両端を折りたたむことなく単に加熱プレスにより接着する熱融着方式を用いるものであり、これにより、両端封鎖部に用いられる濾紙原反量の低減に寄与し、また接着剤を使用せず乾燥工程も不要なことから、従来方式に比べて生産効率を飛躍的に向上させることができる。
【図面の簡単な説明】
【０００７】
【図１】両端部を接着する前の電気掃除機用集塵袋の一例の斜視図
【図２】本考案の電気掃除機用集塵袋の一例の斜視図
【図３】従来の電気掃除機用集塵袋の斜視図
【考案を実施するための最良の形態】
【０００８】
以下、本考案の好適な実施の形態を図面に基づいて説明する。
まず、本考案の電気掃除機用集塵袋は、通気性を有する２枚の濾紙からなるものであって、その２枚の濾紙のうち少なくとも１枚の少なくとも一部に熱可塑性繊維を含むものからなり、このような積層濾紙を、図１に示すように筒状に貼り合せる（ｂ）。この際、熱可塑性繊維を含む方の濾紙を内側となるように筒状とする。
【０００９】
そして、一定間隔にカットする。カットする際の長さとしては、通常の電気掃除機用集塵袋に用いられているのと同様の長さであり、１０〜２５ｃｍが一般的である。この時、カットした筒状物には、電気掃除機取り付け用の口紙用の開口部が設けられているが、口紙用の開口部には、カットの前または後、あるいは後述の両端熱圧着処理の後に、口紙（ａ）を取り付けることができる。図１では、筒状物をカットした後に口紙（ａ）を取り付けた状態を示している。もちろん、該開口部を設けることも、カットの前であっても後であっても、あるいは両端部を熱圧着封鎖した後であってもよい。
【００１０】
カットされた筒状物は、図１のように折り目がつけられ、そして、両端部が接着され封鎖される。従来は、両端部を封鎖する方法として、図３に示すように、多段に折りたたみ、そして重なった個所（ｄ）を接着剤にて接着する方式が取られていた。本考案では、図２に示すように、あらかじめ最終製品の幅で両端部をカットし、該両端部を加熱プレスにて加熱圧着し、濾紙原反中に含まれる熱可塑性繊維の溶融により、筒状物の両端部を封鎖する方式が用いられる（ｃ）。このことから、内層の少なくとも両端部となる個所の内面には、熱可塑性繊維が存在していることが必要である。
【００１１】
両端部の接着の強度は、濾紙中に含まれる熱可塑性繊維の種類と量および加熱圧着条件等により調整することができる。必要な強度としては、実際に集塵袋を掃除機に装着し吸引して、破袋のないレベル以上の強度とすることが必要である。
【００１２】
２枚の濾紙からなる原糸を筒状に貼り合せる工程では、従来は接着剤が用いられてきたが、本考案では従来通りの方式を採用してもよいし、また接着剤を用いる方法に替えて加熱圧着する方式の用いてもよい。加熱圧着する方式を用いる場合には、濾紙原反中に含まれる熱可塑性繊維を溶融させて接着することとなる。また、口紙の取り付けは、上記の両端の封鎖工程の前でもよいし、後でもよい。通常は生産効率を考慮して、両端の封鎖工程の後に実施される。
【００１３】
以上のことから、本考案において、内層と外層の２枚の濾紙からなる電機掃除機用集塵袋は、内層側に熱可塑性繊維が含まれている場合が好ましい。
また本考案において、内層用濾紙が、ポリプロピレン製メルトブローン不織布の両側にポリプロピレン製スパンボンド不織布を積層した３層構造不織布からなる場合が好ましい。
【００１４】
また本考案において、外層用濾紙が、天然パルプからなる濾紙である場合が好ましい。さらに本考案において、外層用濾紙が、天然パルプからなる目付３０〜７０ｇ／ｃｍ２の濾紙であり、内層用濾紙が、目付２〜１０ｇ／ｃｍ２のポリプロピレン製メルトブローン不織布の両側に目付３〜１５ｇ／ｃｍ２のポリプロピレン製スパンボンド不織布を積層した３層構造不織布である場合が好ましい。
【００１５】
また、上記したように本考案において、筒状物の両端が折り畳まれることなく、単に、熱融着により端部閉鎖された構造である場合が好ましい。
【００１６】
熱融着性繊維としては特に限定はないが、ポリエチレン、ポリプロピレン等のポリオレフィン類、ポリエステル類、ナイロン類等が挙げられ、なかでもポリオレフィン（共重合体を含む）が好適例として挙げられる。そして、少なくとも内層の両端部の内側表面は熱融着性繊維により覆われているのが好ましい。そして外層用の濾紙は、該熱融着性繊維を融着させる温度条件下では、溶融或いは分解しない素材からなる場合であるのが好ましい。
【実施例】
【００１７】
以下に、本考案の電気掃除機用集塵袋の具体例を実施例により説明する。
【００１８】
実施例１
図２において、２種類の濾紙原反として、外層に目付け５０ｇ／m2のパルプ紙、内層に目付け１５ｇ／m2のポリプロピレン製SMS（ポリプロピレン製のメルトブローン不織布層を中央に、その両面をポリプロピレン製のスパンボンド不織布で覆った３層構造不織布）を用いて、接着剤にて接着し筒状物とした。この筒状物を所定の幅にカットし、中央に口紙を取り付ける孔を空けた。所定長さの筒状物の両端の１ｃｍ幅部分を加熱プレス機にて溶融圧着して接着した（ポリプロピレン繊維が融着して筒状物の両端部を封鎖接着）。この後、口紙を上記孔に取り付けて集塵袋とした。
この集塵袋を掃除機に装着し、実際吸引を行ったところ、溶融圧着部分の破袋は全くなく良好に使用することができた。
【符号の説明】
【００１９】
ａ：口紙
ｂ：筒状体（両端部未接着）
ｃ：両端融着部
ｄ：両端折りたたみ接着部
【図１】
0003161087.tif 000003
【図２】
0003161087.tif 000004
【図３】
0003161087.tif 000005
【手続補正書】
【提出日】平成22年5月19日(2010.5.19)
【手続補正１】
【補正対象書類名】実用新案登録請求の範囲
【補正対象項目名】全文
【補正方法】変更
【補正の内容】
【実用新案登録請求の範囲】
【請求項１】
通気性を有する２枚の濾紙からなる電気掃除機用集塵袋であって、該２枚のうちの少なくとも１枚の少なくとも一部に熱可塑性繊維を含む濾紙が用いられており、該２枚の濾紙が筒状に接着または加熱溶着されており、さらに筒状物の両端が該熱可塑性繊維により加熱溶着されて両端部が閉じられていることを特徴とする電気掃除機用集塵袋。
【請求項２】
内層と外層の２枚の濾紙からなる電気掃除機用集塵袋であって、内層側に熱可塑性繊維が含まれている請求項１に記載の電気掃除機用集塵袋。
【請求項３】
内層用濾紙が、ポリプロピレン製メルトブローン不織布の両側にポリプロピレン製スパンボンド不織布を積層した３層構造不織布からなる請求項１または２に記載の電気掃除機用集塵袋。
【請求項４】
外層用濾紙が、天然パルプからなる濾紙である請求項１〜３のいずれかに記載の電気掃除機用集塵袋。
【請求項５】
外層用濾紙が、天然パルプからなる目付３０〜７０ｇ／ｃｍ２の濾紙であり、内層用濾紙が、目付２〜１０ｇ／ｃｍ２のポリプロピレン製メルトブローン不織布の両側に目付３〜１５ｇ／ｃｍ２のポリプロピレン製スパンボンド不織布を積層した３層構造不織布である請求項１〜４のいずれかに記載の電気掃除機用集塵袋。
【請求項６】
筒状物の両端が折り畳まれることなく、単に、熱融着による貼り合わせにより端部閉鎖された構造である請求項１に記載の電気掃除機用集塵袋。
【手続補正３】
【補正対象書類名】明細書
【補正対象項目名】０００５
【補正方法】変更
【補正の内容】
【０００５】
すなわち本考案は、通気性を有する２枚の濾紙からなる電気掃除機用集塵袋であって、該２枚のうちの少なくとも１枚の少なくとも一部に熱可塑性繊維を含む濾紙が用いられており、該２枚の濾紙が筒状に接着または加熱溶着されており、さらに筒状物の両端が該熱可塑性繊維により加熱溶着されて両端部が閉じられていることを特徴とする電気掃除機用集塵袋である。
【手続補正４】
【補正対象書類名】明細書
【補正対象項目名】００１３
【補正方法】変更
【補正の内容】
【００１３】
以上のことから、本考案において、内層と外層の２枚の濾紙からなる電気掃除機用集塵袋は、内層側に熱可塑性繊維が含まれている場合が好ましい。
また本考案において、内層用濾紙が、ポリプロピレン製メルトブローン不織布の両側にポリプロピレン製スパンボンド不織布を積層した３層構造不織布からなる場合が好ましい。